(57)【要約】【課題】既存の眼鏡のテンプルの端に着脱でき、スポーツなどの激しい動作中に眼鏡がズレたり落下するのを防止でき、また、眼鏡を一時的に外して首に下げたり元に戻したりする操作を簡単に行なうことのできる眼鏡落下防止保持具を提供する。【解決手段】一対の吊り具で構成し、各吊り具は柔軟性を有する材料で形成した円筒状チューブで構成する。円筒状チューブの一方の端から短い円柱状磁石をその片面を一方の端から僅かに突出させた状態で円筒状チューブに挿入、固定する。円柱状磁石の他方の面側には円筒状チューブの奥に向けて円柱状磁石の奥方向への移動を阻止する磁石台座を挿入、固定する。円筒状チューブの他方の端に着用する眼鏡のテンプルの端を少し力を込めて押し込んで取り付ける。使用に際しては、後頭部、首の後側で円柱状磁石を磁着させる。【選択図】図４
0003212498.tif 000002
【実用新案登録請求の範囲】
【請求項１】
既存の眼鏡に着脱可能で激しい動作中の眼鏡の落下を防止し、一時的に外した眼鏡の首への吊り下げと戻しを簡単に行なうための眼鏡落下防止保持具であって、
該眼鏡落下防止保持具は一対の吊り具で構成され、
各吊り具は柔軟性を有する材料で形成された円筒状チューブを主要構成要素とし、該円筒状チューブの一方の端には短い円柱状磁石がその片面を端から僅かに突出させた状態で円筒状チューブに挿入、固定されており、該円柱状磁石の反対側面には円筒状チューブの奥に向けて該円柱状磁石の奥方向への移動を阻止する磁石台座が挿入、固定されており、
かかる吊り具の使用に際しては、各吊り具の他方の端から円筒内に眼鏡のテンプルの端を押し込むことにより円筒状チューブの柔軟性を利用して吊り具とテンプルを連結し、眼鏡を掛けた状態では一対の吊り具の円筒状チューブの端から僅かに突出している前記円柱状磁石を眼鏡着用者の後頭部にて向かい合わせに磁着させて連結させ、眼鏡を一時的に外すときは前記磁着を解除させて連結を解き、眼鏡を首下に置いた状態で前記と同じく一対の吊り具の円筒状チューブの前記円柱状磁石を眼鏡着用者の首の後にて向かい合わせに磁着させて連結させることにより眼鏡が眼鏡着用者の首に吊り下がった状態となるように構成されていることを特徴とする眼鏡落下防止保持具。
【考案の詳細な説明】
【技術分野】
【０００１】
本考案は、眼鏡のテンプルに取り付けて使用する眼鏡落下防止保持具であって、眼鏡を掛けての激しい動作中に眼鏡がズレたり落下するのを防止し、一時的に外したときには眼鏡を首に掛けた状態にしておくための眼鏡落下防止保持具に関する。
【背景技術】
【０００２】
激しい運動や作業中には着用していた眼鏡が外れて落ちることがある。こうした運動中の落下を防止すると共に、一時的に外した場合には直ぐに着用できるよう身近な置き場として首や胸の前に吊り下げておけるよう工夫した眼鏡の技術が各種提案されている。
【０００３】
例えば、特許文献１には図７に示すような保持バンド付き眼鏡５０が開示されている。この保持バンド付き眼鏡５０は、眼鏡部５１に保持バンド部５２を接合部５３にて脱着可能に取り付けたものである。眼鏡フレームの左右テンプル５４の端と端の間に取り付けた保持バンド部５２により掛けた眼鏡の落下が防止される。また、一時的に外した場合には、保持バンド部５２により眼鏡部５１を首に吊り下げた状態にしておくことができる。しかし、この保持バンド付き眼鏡５０は左右テンプル５４の端に特殊構造の接合部５３を必要とするため、既存の眼鏡に保持バンド部５２を取り付けることはできず、使用する場合には眼鏡部５１を含む全体を新たに購入する必要がある。
【０００４】
また、特許文献２には図８に示すような眼鏡に取り付ける眼鏡吊り下げ具５５が開示されている。紐状の吊り下げ具５５は、眼鏡の左右テンプル５６間に取り付けられる。吊り下げ具５５の両端には弾性変形可能な材料でもって径の異なる数種類の孔が設けられた端部品５７が取り付けられている。孔を選択してテンプル５６を通すことで既存の眼鏡に取り付けることができる。この吊り下げ具５５を取り付けた眼鏡は、外して胸上程度の高さに吊り下げておくことができる。しかし、耳に掛けているときに眼鏡が胸上に落下するのを防止できない。また、この眼鏡を完全に取り外すには、シャツを脱ぐときのように吊り下げ具の輪の中を頭部が通過することになるため、その際に髪の毛が乱れる問題がある。
【先行技術文献】
【特許文献】
【０００５】
【特許文献１】特開２０１２−２５２０５３号公報
【特許文献２】実用新案登録第３１３８５８６号公報
【考案の開示】
【考案が解決しようとする課題】
【０００６】
本考案は、従来技術のこうした問題点を解決するためになされたもので、その課題は市販の一般的眼鏡のテンプルの端に容易に着脱でき、スポーツなどの激しい動作中に眼鏡がズレたり落下することを防止でき、また、眼鏡を一時的に外して首に下げたり元に戻したりする操作を簡単に行なうことができ、眼鏡を体から完全に外すときには髪の毛に触れずに簡単に取り外しのできる眼鏡落下防止保持具を提供することにある。
【課題を解決するための手段】
【０００７】
前記課題を解決するための請求項１に記載の考案は、既存の眼鏡に着脱可能で激しい動作中の眼鏡の落下を防止し、一時的に外した眼鏡の首への吊り下げと戻しを簡単に行なうための眼鏡落下防止保持具であって、該眼鏡落下防止保持具は一対の吊り具で構成され、各吊り具は柔軟性を有する材料で形成された円筒状チューブを主要構成要素とし、該円筒状チューブの一方の端には短い円柱状磁石がその片面を端から僅かに突出させた状態で円筒状チューブに挿入、固定されており、該円柱状磁石の反対側面には円筒状チューブの奥に向けて該円柱状磁石の奥方向への移動を阻止する磁石台座が挿入、固定されており、かかる吊り具の使用に際しては、各吊り具の他方の端から円筒内に眼鏡のテンプルの端を押し込むことにより円筒状チューブの柔軟性を利用して吊り具とテンプルを連結し、眼鏡を掛けた状態では一対の吊り具の円筒状チューブの端から僅かに突出している前記円柱状磁石を眼鏡着用者の後頭部にて向かい合わせに磁着させて連結させ、眼鏡を一時的に外すときは前記磁着を解除させて連結を解き、眼鏡を首下に置いた状態で前記と同じく一対の吊り具の円筒状チューブの前記円柱状磁石を眼鏡着用者の首の後にて向かい合わせに磁着させて連結させることにより眼鏡が眼鏡着用者の首に吊り下がった状態となるように構成されていることを特徴とする眼鏡落下防止保持具である。
【０００８】
このような構成の眼鏡落下防止保持具は、吊り具の円筒状チューブに着用する眼鏡のテンプルの端を押し込んで取り付けるので、既存の各種眼鏡に適用できる。また、身体への取り付けは左右の円筒状チューブに取り付けた円柱状磁石の磁着とその解除で行なうため耳に掛けたり、首に吊り下げたりの操作を簡単に行なうことができる。また、眼鏡を身体から完全に外すときは磁着を解除して眼鏡を前方に引き出せばよい。従来の吊り下げ具のように輪の中を頭部が通過することがないため、眼鏡や眼鏡落下防止保持具が髪に触れて髪の毛が乱れる心配はない。
【図面の簡単な説明】
【０００９】
【図１】本考案に係る眼鏡落下防止保持具１の外観図である。
【図２】眼鏡２への眼鏡落下防止保持具１の取り付け方説明図である。
【図３】眼鏡２に眼鏡落下防止保持具１の取り付けた状態図である。
【図４】円柱状磁石３ａ、３ｂを向かい合わせに磁着させし眼鏡２と眼鏡落下防止保持具１とを輪状とうた状態図である。
【図５】眼鏡落下防止保持具１を取り付けた眼鏡２を着用した状態である。
【図６】眼鏡落下防止保持具１を取り付けた眼鏡２を一時的に首に掛けた状態である。
【図７】従来の保持バンド付き眼鏡５０の例である。
【図８】従来の眼鏡吊り下げ具５５の例である。
【考案を実施するための形態】
【００１０】
以下、本考案に係る眼鏡落下防止保持具の一実施形態について図面を参照して説明する。図１は本考案に係る眼鏡落下防止保持具１の外観図、図２、図３は眼鏡２への眼鏡落下防止保持具１の取り付け方説明図である。眼鏡落下防止保持具１は一対の吊り具１ａ、１ｂで構成される。各吊り具１ａ、１ｂは円筒状チューブと磁石３ａ、  ３ｂを主要部品として構成されている。
【００１１】
吊り具１ａ、１ｂの円筒状チューブは柔軟性を有する材料で形成されており、本実施形態では透明なシリコンゴムを使用している。円筒状チューブの一方の端からは、円筒状チューブの内径に等しい外径の短い円柱状磁石３ａ、３ｂが、その円柱片面を円筒状チューブの端から僅かに突出させた状態で挿入され、接着剤で円筒状チューブ内側に固定されている。各円柱状磁石３ａ、３ｂは、一方の円柱片面がＮ極、他方の円柱片面がＳ極となるように着磁されている。吊り具１ａ、１ｂの円柱状磁石３ａ、３ｂは、後述するように円筒状チューブの端から僅かに突出させた面同士を向かい合わせに磁着させるので、円筒状チューブの端から突出した側の磁極は、一方の吊り具１ａではＮ極、他方の吊り具１ｂではＳ極になるようにして取り付けてある。
【００１２】
円柱状磁石３ａ、３ｂの奥にあたる円筒状チューブ内には、円筒状チューブの内径に等しい外径を有する円柱状の磁石台座４ａ、４ｂが挿入されている。磁石台座４ａ、４ｂは円柱状磁石３ａ、３ｂの移動を阻止するためのもので、その片面を円柱状磁石３ａ、３ｂの片面に接着させた状態で円筒状チューブ内面に接着されている。磁石台座４ａ、４ｂは合成樹脂、金属等の材料で製作してある。
【００１３】
吊り具１ａ、１ｂは図２、図３に示すように、円筒状チューブの円柱状磁石３ａ、３ｂが取り付けられていない側の開口に眼鏡２の左右テンプル２ａ、２ｂの端を差し込み、連結固定して取り付ける。差し込みのみで連結し、接着剤等は使用しない。円筒状チューブはシリコンゴムのような柔軟性、弾性を備えた材料で形成されているので、円筒状チューブの内径がテンプル２ａ、２ｂの端部断面積より小さければ、少し力を込めて眼鏡２のテンプル２ａ、２ｂを押し込むことで連結させることができる。
【００１４】
押し込む際には、摩擦を小さくするため必要に応じて水、油等を用いる。一旦、押し込まれると、円筒状チューブの弾性による締め付け力と摩擦により押し込まれた状態が維持され、テンプル２ａ、２ｂは簡単には抜けない。このように円筒状チューブにテンプル２ａ、２ｂの端を少し力を込めて押し込んで取り付けるので、テンプル２ａ、２ｂの端部の断面積が異なる既存の各種眼鏡に取り付けて使用することができる。
【００１５】
使用に際しては、図４に示すように吊り具１ａ、１ｂの円柱状磁石３ａ、３ｂを向かい合わせに磁着させ、眼鏡２と眼鏡落下防止保持具１とで輪状にする。図５は眼鏡２を着用した状態での使用状態である。着用者の後頭部で円柱状磁石３ａ、３ｂを磁着させる。このように取り付けることで眼鏡２の落下やズレを防止することができる。磁着させた吊り具１ａ、１ｂの長さが長すぎる場合には、円柱状磁石３ａ、３ｂが取り付けてない側の円筒状チューブの端を切断して長さを着用者の頭部サイズに合わせる。
【００１６】
図６は眼鏡２を一時的に首に掛けた状態である。図５の状態から図６の状態に移行するときは、円柱状磁石３ａ、３ｂの磁着を一旦、解除して図３の状態とし、眼鏡２を首の下に置いた状態で円柱状磁石３ａ、３ｂを首の後で磁着させる。図６の状態から図５の状態に戻す場合も同様にして行なう。
【００１７】
眼鏡２を身体から完全に取り外す場合は、円柱状磁石３ａ、３ｂの磁着を解除して眼鏡２を前方に引き出すことで簡単に取り外すことができる。前述の図８に示したような紐状の吊り下げ具５５の場合は、眼鏡を身体から完全に取り外す際に眼鏡と紐の輪から頭部を引き出す必要がある。その際には、眼鏡や紐が髪の毛に触れて髪を乱すことがある。本実施形態の眼鏡落下防止保持具１の場合は、頭部を輪から引き出す必要がないため、取り外すときに髪が乱れる心配はない。
【符号の説明】
【００１８】
図面中、１は眼鏡落下防止保持具、１ａ、１ｂは吊り具、２は眼鏡、２ａ、２ｂはテンプル、３ａ、３ｂは円柱状磁石、４ａ、４ｂは磁石台座を示す。
【図１】
0003212498.tif 000003
【図２】
0003212498.tif 000004
【図３】
0003212498.tif 000005
【図４】
0003212498.tif 000006
【図５】
0003212498.tif 000007
【図６】
0003212498.tif 000008
【図７】
0003212498.tif 000009
【図８】
0003212498.tif 000010